(57)【要約】【課題】筐体内の基板にカメラモジュールが取り付けられる撮像装置において、筐体全体を薄型化可能な撮像装置を提供することを目的とする。【解決手段】本発明にかかる撮像装置の実施形態である携帯電話機１００は、筐体１０４と、筐体１０４に内蔵される基板１１０と、カメラモジュール１２０と、カメラモジュール１２０を基板１１０に取り付けるカメラホルダ１３０と、を備え、カメラホルダ１３０は、カメラホルダ１３０を、基板１１０を貫通する位置で基板１１０に取り付ける嵌合部１４０を有することを特徴とする。【選択図】図３
2010232940.tif 000002
【特許請求の範囲】
【請求項１】
筐体と、
前記筐体に内蔵される基板と、
カメラモジュールと、
前記カメラモジュールを前記基板に取り付けるカメラホルダと、
を備え、
前記カメラホルダは、該カメラホルダを、前記基板を貫通する位置で該基板に取り付ける嵌合部を有することを特徴とする撮像装置。
【請求項２】
前記カメラホルダは板金または板状樹脂によって一体成型されていて、
前記嵌合部は、
前記カメラホルダの側面の一部を切り開いて外側へ折り曲げた切片と、
前記カメラホルダの前記側面の端部を前記切片と同じ側へ折り曲げた折曲部とを含み、
前記切片と前記折曲部とで前記基板を挟み込むことによって、前記カメラホルダは、前記基板を貫通する位置に取り付けられることを特徴とする請求項１に記載の撮像装置。
【請求項３】
前記カメラホルダは板金または板状樹脂によって一体成型されていて、該カメラホルダの側面の一部を切り開いて外側に張り出させた弾性を有する爪状部材をさらに有し、
前記基板に設けられた貫通孔または切欠部の内側面に前記爪状部材が付勢当接されていることを特徴とする請求項１または２に記載の撮像装置。
【請求項４】
前記カメラモジュールは、フレキシブルプリント基板を底部に有し、
前記フレキシブルプリント基板は、前記カメラホルダが可動である方向に延伸し、該延伸した部分が略Ｚ字状に曲げられたＺ曲げ部を有し、
前記基板に設けられた貫通孔または切欠部の内側面のうち、前記爪状部材が当接する内側面とは異なる内側面に前記Ｚ曲げ部が当接されることを特徴とする請求項３に記載の撮像装置。
【請求項５】
前記カメラホルダは板金または導電性の板状樹脂によって一体成型されていて、該カメラホルダの側面から切り開かれた部分が前記基板を貫通して延伸するアース接地用脚部をさらに有することを特徴とする請求項１に記載の撮像装置。
【請求項６】
前記接地用脚部は、前記基板の裏側でしか外側に張り出さないことを特徴とする請求項５に記載の撮像装置。
【発明の詳細な説明】
【技術分野】
【０００１】
本発明は、筐体内の基板にカメラモジュールが取り付けられる撮像装置に関するものである。
【背景技術】
【０００２】
デジタルカメラ、携帯電話、ＰＨＳ（Personal Handy-phone System）等の電子装置の筐体内の基板に、カメラホルダによってカメラモジュールを位置決めして取り付ける技術が知られている。例えば特許文献１には、カメラユニットをホルダ部材によって回路基板上に取り付けている。
【先行技術文献】
【特許文献】
【０００３】
【特許文献１】特開２００４−２００９４４号公報
【発明の概要】
【発明が解決しようとする課題】
【０００４】
しかし、特許文献１等に記載の技術では、回路基板上、すなわち回路基板と筐体内面との間にカメラモジュールを固定するカメラホルダが位置する。カメラモジュールの薄型化には限界があるため、これを保持するカメラホルダも、所定の厚みをもって回路基板から突出する。かかるカメラホルダ自体の厚みは薄型化の妨げになっていた。
【０００５】
本発明は、このような課題に鑑み、筐体内の基板にカメラモジュールが取り付けられる撮像装置において、筐体全体を薄型化可能な撮像装置を提供することを目的としている。
【課題を解決するための手段】
【０００６】
上記課題を解決するために、本発明にかかる撮像装置の代表的な構成は、筐体と、筐体に内蔵される基板と、カメラモジュールと、カメラモジュールを基板に取り付けるカメラホルダと、を備え、カメラホルダは、カメラホルダを、基板を貫通する位置で基板に取り付ける嵌合部を有することを特徴とする。
【０００７】
上記のカメラホルダは板金または板状樹脂によって一体成型されていて、嵌合部は、カメラホルダの側面の一部を切り開いて外側へ折り曲げた切片と、カメラホルダの側面の端部を切片と同じ側へ折り曲げた折曲部とを含み、切片と折曲部とで基板を挟み込むことによって、カメラホルダは、基板を貫通する位置に取り付けられるとよい。
【０００８】
上記のカメラホルダは板金または板状樹脂によって一体成型されていて、カメラホルダの側面の一部を切り開いて外側に張り出させた弾性を有する爪状部材をさらに有し、基板に設けられた貫通孔または切欠部の内側面に爪状部材が付勢当接されているとよい。
【０００９】
上記のカメラモジュールは、フレキシブルプリント基板を底部に有し、フレキシブルプリント基板は、カメラホルダが可動である方向に延伸し、延伸した部分が略Ｚ字状に曲げられたＺ曲げ部を有し、基板に設けられた貫通孔または切欠部の内側面のうち、爪状部材が当接する内側面とは異なる内側面にＺ曲げ部が当接されるとよい。
【００１０】
上記のカメラホルダは板金または導電性の板状樹脂によって一体成型されていて、カメラホルダの側面から切り開かれた部分が基板を貫通して延伸するアース接地用脚部をさらに有するとよい。
【００１１】
上記の接地用脚部は、基板の裏側でしか外側に張り出さないとよい。
【発明の効果】
【００１２】
本発明によれば、筐体内の基板にカメラモジュールが取り付けられる撮像装置において、筐体全体を薄型化可能である。
【図面の簡単な説明】
【００１３】
【図１】本発明による撮像装置の実施形態である携帯電話を示す図である。
【図２】図１のカメラホルダの拡大図である。
【図３】図２のカメラホルダを様々な角度から見た図である。
【図４】図３のカメラホルダを基板に取り付ける方法を示す簡略図である。
【図５】図２のカメラホルダを別の角度から見た簡略図である。
【図６】比較例におけるカメラホルダを例示する図である。
【発明を実施するための形態】
【００１４】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１５】
（携帯電話機）
図１は、本発明による撮像装置の実施形態である携帯電話機を示す図であり、図２は図１のカメラホルダの拡大図である。携帯電話機１００は折り畳み式であり、キーパッド１０２等を有する一方の筐体１０４（上筐体１０４Ａおよび下筐体１０４Ｂからなる）と、表示部１０５等を有する他方の筐体１０６とを備える。また携帯電話機１００は、筐体１０４に内蔵される基板１１０と、カメラモジュール１２０と、カメラモジュール１２０を基板１１０に取り付けるカメラホルダ１３０とを備える。
【００１６】
図２に示すように、カメラモジュール１２０はカメラホルダ１３０の内部に保持され、一体化している。カメラモジュール１２０は、上筐体１０４に設けられた露光用開口（図示は省略）を通して被写界から光を取り込み、被写体を撮像する。
【００１７】
本実施形態では携帯電話機１００を撮像装置の実施形態としているが、デジタルカメラ、ＰＨＳ、ＰＤＡ（Personal Digital Assistant）、デジタルオーディオプレーヤなど、カメラモジュールを搭載可能なあらゆる電子機器を実施形態としてよい。
【００１８】
（カメラホルダ）
図３は図２のカメラホルダを様々な角度から見た図である。図３（ａ）はカメラホルダ１３０を単独で示し、図３（ｂ）（ｃ）はカメラホルダ１３０内にカメラモジュール１２０を一体的に取り付けた状態をそれぞれ異なる角度から示す。なお図３（ｂ）には、左側に線図でカメラモジュール１２０・カメラホルダ１３０を示し、右側に陰影を付けた図を示している。カメラホルダ１３０は板金または板状樹脂によって一体成型されている。カメラホルダ１３０の素材は、弾性のある板状の部材であればいかなるものでもよい。
【００１９】
カメラホルダ１３０は、カメラホルダ１３０を、基板１１０（図３（ａ）（ｃ）参照）を貫通する位置で基板１１０に取り付ける嵌合部１４０を有する。嵌合部１４０は、カメラホルダ１３０の側面１３２の一部を切り開いて外側へ折り曲げた切片１４０Ａと、側面１３２の端部を切片１４０Ａと同じ側（図３における上側）へ折り曲げた折曲部１４０Ｂとを含む。図３（ａ）に示すように、切片１４０Ａと折曲部１４０Ｂとで基板１１０を挟み込むことによって、カメラホルダ１３０は、基板１１０を貫通する位置に取り付けられている。
【００２０】
（カメラホルダ取付方法）
図４は図３のカメラホルダ１３０を基板１１０に取り付ける方法を示す簡略図である。カメラホルダ１３０は、図４（ａ）に示すように、まず切片１４０Ａの側から基板に通す。すると切片１４０Ａは、図４（ｂ）に示すように、基板１１０を通過する間はカメラホルダ１３０の側面１３２と面一の状態となる。これは基板１１０に設けられた切欠部１５０がカメラホルダ１３０の外形にぴったり適合する形状を有するからである。
【００２１】
そしてカメラホルダ１３０が基板１１０を通過した後には、図４（ｃ）に示すように、切片１４０Ａは、その弾性によって再び外側へ折り曲げられた状態に戻る。これと同時に、折曲部１４０Ｂが基板１１０と干渉し、切片１４０Ａと折曲部１４０Ｂとで基板１１０が挟み込まれることとなる。これにより、１枚の板金等によって構成されたカメラホルダ１３０を基板１１０を貫通する位置で基板１１０に嵌合可能であり、光軸が安定する。
【００２２】
上記の構成および取付方法によれば、カメラモジュール１２０の厚みが基板１１０の厚みによって相殺されるため、筐体１０４（図１）全体を著しく薄型化可能である。カメラホルダ１３０に基板１１０を貫通させるには、基板１１０に貫通孔を設けるか、あるいは図４（ａ）のように基板１１０を切り欠いた切欠部１５０を設ける必要があるが、基板１１０に貫通孔や切欠部１５０を設けて、そこにカメラモジュール１２０を取り付けること自体が、従来にない斬新な構成である。
【００２３】
（比較例）
図６は比較例におけるカメラホルダ５０（図６（ａ））、カメラホルダ６０（図６（ｂ））を例示する図である。いずれの比較例においても、基板１１０上に、カメラモジュール１２０を保持するカメラホルダ５０、６０の全体が搭載されているため、その厚み分、筐体（図示省略）は厚くせざるを得ない。
【００２４】
（カメラホルダの可動）
再び図３を参照し、カメラホルダ１３０の動きについて説明する。カメラホルダ１３０は、上述のごとく切片１４０Ａと折曲部１４０Ｂとで基板１１０を挟み込んでいるため、切片１４０Ａと折曲部１４０Ｂとが設けられた側面１３２に対向する方向にはカメラホルダ１３０は動かない。しかし、側面１３２に沿った方向（矢印１６０の方向）には、カメラホルダ１３０は自由に摺動可能である。したがってカメラホルダ１３０は、携帯電話機１００が落下するなどして衝撃を受けても矢印１６０の方向には可動であり、耐衝撃性が高い。
【００２５】
（爪状部材）
また図３（ａ）（ｃ）に示すように、カメラホルダ１３０は、その側面１３４の一部を切り開いて外側に張り出させた弾性を有する爪状部材１７０をさらに有し、基板１１０に設けられた切欠部１５０（または貫通孔）の内側面１７２に爪状部材１７０が付勢当接されている。
【００２６】
上記の構成によれば、カメラホルダ１３０は、それが可動する矢印１６０方向において、爪状部材１７０を緩衝材として基板１１０に取り付けられていて、衝撃を受けても破損しにくく、耐衝撃性が高められている。
【００２７】
（Ｚ曲げ部）
さらに図３に示すように、カメラモジュール１２０は、フレキシブルプリント基板１８０を底部に有する。フレキシブルプリント基板１８０は、カメラホルダ１３０が可動である矢印１６０方向に延伸し、延伸した部分が略Ｚ字状に曲げられたＺ曲げ部１９０を有する。基板１１０に設けられた切欠部１５０（または貫通孔）の内側面１７２のうち、爪状部材１７０が当接する内側面１７２とは異なる内側面１７４（図２参照）にＺ曲げ部１９０が当接されている。
【００２８】
上記の構成によれば、Ｚ曲げ部１９０はその大きく湾曲した形状によって緩衝性に優れ、爪状部材１７０と同様に緩衝材としての役割を果たし、カメラホルダ１３０の耐衝撃性がより高められている。とりわけ、爪状部材１７０と対向する側面１７４にＺ曲げ部１９０を当接させることにより、爪状部材１７０およびＺ曲げ部１９０の両方で同一方向からの衝撃を吸収でき、耐衝撃性が格段に高まる。
【００２９】
なお図３（ｃ）では、図示は省略するものの、基板１１０が、フレキシブルプリント基板１８０と、切片１４１とで挟み込まれる。
【００３０】
（アース接地用脚部）
図５は図２のカメラホルダを別の角度から見た簡略図である。カメラホルダ１３０は、その側面１３２から切り開かれた部分が基板１１０を貫通して延伸するアース接地用脚部２００をさらに有する。
【００３１】
かかるアース接地用脚部２００によれば、基板１１０外に位置する近傍の金属に接地可能である。したがって、カメラモジュール１２０がとりわけ撮影時に発する電気的ノイズが遮断され、基板１１０内の他の装置に悪影響が及ばず、データ通信等に支障を生じない。
【００３２】
図３（ａ）に示すように、アース接地用脚部２００は、基板１１０の裏側（下側）でしか外側に張り出していない。かかる構成によれば、アース接地用脚部２００は、カメラホルダ１３０の近傍に位置する装置と干渉せずに、基板１１０を貫通して延伸可能である。例えば図５に示すように、近傍で回転しているバイブモータ２１０の分銅２２０を避けて延伸可能である。言うまでもないが、回避する対象はバイブモータ２１０の分銅２２０に限られず、近傍に存在するあらゆる機器を回避可能である。
【００３３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３４】
本発明は、筐体内の基板にカメラモジュールが取り付けられる撮像装置に利用することができる。
【符号の説明】
【００３５】
１００  …携帯電話機
１０２  …キーパッド
１０４、１０６  …筐体
１１０  …基板
１２０  …カメラモジュール
１３０  …カメラホルダ
１３２、１３４  …側面
１４０  …嵌合部
１４０Ａ  …切片
１４０Ｂ  …折曲部
１５０  …切欠部
１７０  …爪状部材
１７２  …内側面
１８０  …フレキシブルプリント基板
１９０  …Ｚ曲げ部
２００  …アース接地用脚部
２１０  …バイブモータ
２２０  …分銅
【図４】
2010232940.tif 000003
【図６】
2010232940.tif 000004
【図１】
2010232940.tif 000005
【図２】
2010232940.tif 000006
【図３】
2010232940.tif 000007
【図５】
2010232940.tif 000008